(57)【要約】【課題】  浴槽用ふたの存在条件は、安価、丈夫、清潔、保管等にどれだけ満足しているのかと言うことであるが、何れも十分に満足させる様なことは、大変困難なことである。【解決手段】  本発明で提供した浴槽用ふたは、丈夫で長持ちして保管し易いものに心掛けたものであり、特徴とすることは、浴槽での使用に耐える構造として芯材を用いること、該芯材間の距離は殆ど変化しない様にするため芯材間を可撓性のある結合にすること、芯材を結合させた集合体である芯部材を保護袋に挿入すること、保護袋の開口部を閉鎖する手段を有し、該保護袋内の空気を排出させることである。此れ等を満足させることによって余り高価にならずに非常に丈夫で十分に清掃や乾燥ができて、浴槽用ふたを丸太ん棒状の円柱形に巻いて運搬や保管ができる浴槽用ふたが可能となった。【選択図】図１
2014151182.tif 000002
【特許請求の範囲】
【請求項１】
結合紐で拘束された芯材の集合体である芯部材を膜材の保護袋に挿入し、該保護袋の開口部を閉鎖する手段を有し、該保護袋内の空気の引き抜き方法によって、該保護袋内の空気を排出することが出来ることを特徴とする浴槽用ふた。
【請求項２】
芯材を可撓性を有する溝形材で保持した芯材の集合体である芯部材を膜材の保護袋に挿入し、該保護袋の開口部を閉鎖する手段を有し、該保護袋内の空気の引き抜き方法によって、該保護袋内の空気を排出することが出来ることを特徴とする浴槽用ふた。
【発明の詳細な説明】
【技術分野】
【０００１】  本発明は、風呂に設置された浴槽の上面を覆う浴槽用ふたに関する。
【背景技術】
【０００２】  浴槽の上面を覆うために用いるふたには、各種の構造のものが存在しており、浴槽のふたに対する要求は、非常に厳しい条件になっている。要求される条件は、使用、移動、保管等の全てであり、ふたの移動や保管のためにふた自体が小さくなる様に巻いて丸太ん棒状の円柱形に出来ること、ふたを拡げた使用中には、ふたへの面外からの作用力に対して十分な強度を有することであり、柔軟、強度、軽量を要求されるため、ふたの構成は、芯材と膜材による複合材による構成になることが殆どである。【０００３】  ふたを構成する芯材と膜材による複合材への要求は、各芯材間で分離したり、重なったりしないこと、膜材に破れや亀裂が生じ難いこと、芯材についての清掃、乾燥、交換が可能なこと、芯材が劣化し難いこと、更にふた全体が長期間に亘って使用出来ることなどである。【０００４】  芯材の存在しない場合のものは、ふた自身の材料に対して芯材並みの強度が要求されているにもかかわらずにふた自体が丸太ん棒状の円柱形に出来得ること、ふたを拡げた使用時に、ふたへの面外曲げに対して強度を有して変形や破損をしないこと、当然の如く軽量化も要すことであり、芯材の存在しないふたは、厳しい使用条件を満足させて長期間に亘って劣化し難い様な構成を安価に実現することは、殆ど無理なことである。【０００５】  言い替えると、芯材の存在しない構造のものでふた自体を丸太ん棒状の円柱形に巻き易いものにするとふたが薄くなり、面外からの作用力に対して非常に脆弱な構成になって、浴槽のふたとして使用すると上下方向の外力に対して弱くなり、使用自体が危険になる。面外力に十分に耐えるためにふたの厚さを厚くしたり、ふたの材料を強度的に剛性の高いものにしたりすると、ふた自体を丸太ん棒状の円柱形に巻くことが困難になり、ふたの移動や保管に不便と言える。【０００６】  ふた自体を丸太ん棒状の円柱形に巻くこと及びふたを平板状に拡げた場合
2014151182.tif 000003
なふたでは非常に困難と言える。前記の両方の要望を満たすためには、ふたを均質にしないことであり、丸太ん棒状の円柱形に巻いたときの円柱の長手方向に骨太の柱状のものを配置し、該柱状のものを芯材として隣接する芯材の間で可撓性を有する薄い膜で上下両方から保護すれば、一応目的を達したことになる。しかし、前記の薄い膜に破れや亀裂が発生すると、芯材に水分が滲透して芯材にかびが発生してふたの使用が不可能になる。【０００７】  芯材の存在する構造のものは、芯材を保持するために上下両面に配置した薄い膜に破れや亀裂が発生すると、隣接する芯材間の寸法が保てなくなってしまい、ふたとして使用出来なくなる。薄い膜の破れや亀裂は、芯材への水分の滲透を惹起こすことになり、かびの発生を誘発することになる。斯かる浴槽用ふたは、芯材間の寸法を保持し難くなることや芯材を清潔に保ち難くいことのために、芯材としての難点を有することになっていた。【０００８】  浴槽に用いた従来のふたは、破損や汚れに対して有効な手段がなく、ふた全体を使い捨てにするだけであった。ふたの破損や汚損に対する効果的な遣り方は、ふたを大切に長期間に亘って使用することになり、ふたを使用する者は、度々ふたの購入を行うことがなくなる。
【発明の概要】
【発明が解決しようとする課題】
【０００９】  浴槽のふたで具備すべき条件は、安価、丈夫、清潔、水分に強い、熱湯に強い、保温、運搬、保管など多岐に亘っているが、此れらの各項目を何の程度満足しているかによってふたとしての存在価値が決定される。本発明の浴槽用ふたは、特に丈夫、清潔、保管に重点を置かれて創出されたもので、芯材間の距離を保持すること、芯材を清潔に保つこと、芯材の乾燥可能であること、ふた自体を丸太ん棒状の円柱形に巻けることなどの特徴を有した構成である。
【課題を解決するための手段】
【００１０】  本発明の浴槽用ふたは、ふたの面外力に対する強化のために芯材を用い、隣接する該芯材間を可撓性を有する様な結合によって芯部材を構成し、該芯部材を薄い膜材の保護袋に挿入し、該保護袋の内部を負圧にして芯部材と保護袋で平板状を構成し、該平板状のものをふたとしたものである。【００１１】  芯部材と保持袋で構成した本発明の浴槽用ふたの特徴は、芯材間の配置が保持されること、芯部材を保護袋から簡単に取り出したり、挿入したりすることが出来ること、芯材に水分が付着し難いこと、芯材を単品で掃除出来ること、保護袋の内部を簡単に掃除したり、乾燥させることができること等である。此れ等の特徴は、芯部材を保護袋を簡単に分離できること及び芯部材を芯材単品に分解できることによってもたらされた。
【発明の効果】
【００１２】  本発明の遣り方で構成された浴槽用ふたは、芯材によって外力に耐えるふたを構成できることであり、芯材を可撓性を持って結合させた芯材の集合体である芯部材を薄い膜材の保護袋に挿入させることによって芯材と保護袋の清掃や乾燥を可能にしており、それによって芯材や保護袋の汚損を防止してふたを清潔に保持出来、ふた自体を丸太ん棒状の円柱形に巻けるので、ふたの移動や保管をし易くなり、余り高価にならずに構成できる。従って、本発明の浴槽用ふたは、使用、運搬、保管に有効な特徴を持っている。【００１３】  本発明の浴槽用ふたは、汚損や破損によって廃棄されるものでなく、再生や修理等を可能にしたものであり、長期間に亘る使用によって全体としては安価なものになり、安価で丈夫な商品になり得る。芯部材は分解や再組立が可能であり、芯材の外表面及び保護袋の内外両面の清掃や乾燥を十分に実施出来るので、浴槽用ふたは殆ど廃棄されることがなくなる。
【図面の簡単な説明】
【００１４】
【図１】  芯材間を結合紐で拘束した芯部材の斜視図。
【図２】  芯材を円管状芯材と平板状芯材で構成し、此れ等の芯材間を結合紐で拘束した芯部材の場合で本発明の構成要件として必要な部品の関わりを示す模式図。
【図３】  図２の芯部材の平面図。
【図４】  図３の正面図。
【図５】  図２の芯材間を結合紐の縒りによって結合する遣り方を示す結合紐の縒り方の斜視図。
【図６】  結合紐を縒らないで芯材間を結合する遣り方の斜視図。
【図７】  角棒状の芯材間を可撓性を有する溝型材で結合した芯部材の平面図。
【図８】  図７の正面図。
【図９】  図７の側面図であって図８のＩＸ−ＩＸ視図。
【符号の説明】
【００１５】  １…角棒状芯材
２…内側結合紐
３…外側結合紐
４…円管状芯材
５…平板状芯材
６、７…結合紐
８…保護袋
９…閉鎖板
１０…逆止弁
１１、１２…結合紐
１３…内側結合紐
１４…外側結合紐
１５…角棒状芯材
１６…溝形材
【発明を実施するための形態】
【００１６】  隣接する芯材間を結合紐で拘束することによって、各芯材がばらばらに散逸するのを防止し、各芯材間の位置関係が保持される様に構成された芯材の集合体である芯部材を薄い膜材の保護袋に挿入し、芯部材を保護袋に挿入後に保護袋の開口部を閉鎖板や開口部に設けたファスナー等によって保護袋の開口部を塞ぎ、其の後において保護袋内の空気を逆止弁等を経由して抜き去って、保護袋内を負圧にさせることによって、形状が平板状や円柱状になり得る構成が、本発明の浴槽用ふたの概要である。
【００１７】  結合紐を用いない遣り方は、可撓性を有する溝形材で芯材を保持する方法であり、各芯材がばらばらに散逸するのを防止し、各芯材間の位置関係が保持される様に構成された芯材の集合体である芯部材を薄い膜材の保護袋に挿入し、芯部材を保護袋に挿入後に保護袋の開口部を閉鎖板や開口部に設けたファスナー等によって保護袋の開口部を塞ぎ、其の後において保護袋内の空気を逆止弁等を経由して抜き去って、保護袋内を負圧にさせ、形状が平板状や円柱状になり得る構成が、本発明で結合紐を用いない場合の浴槽用ふたの概要である。
【００１８】  芯材を結合紐で結合させる場合と芯材を溝形材で結合させる場合は、本質的に同一の効果をもたらすものであり、両方共に芯材の集合体である芯部材を構成し、芯部材を挿入した保護袋を大略平板状に出来るので、芯部材を包含した薄い膜材の保護袋は、浴槽用ふたになり、芯材の長手方向を丸太ん棒状の円柱形の長手方向となる様に芯部材入りの保護袋を円柱状に巻くことが可能であり、芯材入りの保護袋は、大略平板状の浴槽用ふたになること及び丸太ん棒状の円柱形で保管されることの両方になり得る。
【００１９】  本発明の浴槽用ふたの構成は、強度部材である芯材を僅かに拘束される様に結合紐で連結する場合と可撓性を有する溝形材で強度部材の芯材を保持させる場合の両方があり、此れ等芯材の集合体である芯部材を薄い膜材の保護袋に挿入しているので、該保護袋の外表面のみ外気と接することになる。芯部材は、保護袋に対して出し入れ可能であるため単独になった芯材の清掃や乾燥を行うことが可能であると同時に保護袋についても内部の清掃や乾燥を行うことが可能になる。
【００２０】  芯部材を構成する芯材は、保護袋の中に挿入されているので、芯材入りの保護袋を浴槽のための蓋として浴槽の上面を覆う場合に浴槽用ふたの強度を保持するものである。該浴槽用ふたは、芯部材によって大略平面を保ち、芯材入りの保護袋の外表面も当然の如く大略平面になり、浴槽の湯温保持や浴槽への異物混入を防止出来るので、本来の目的を十分に果すものである。
【００２１】  保護袋は、薄い膜材なので柔軟な薄板状や箔状のものであり、芯部材は、平板内で剛性について大きな差異を有しており、保護袋と芯部材で構成された浴槽用ふたは、芯材の長手方向を丸太ん棒状の円柱形の長手方向となる様に円柱状に巻くことが出来浴槽用ふたは、使用時に平板状になり、移動や保管の時に円柱状になり、使用、移動、保管等の取り扱いが非常に好都合である。
【００２２】  芯部材の挿入された保護袋は、該保護袋の開口部を閉鎖板で塞ぐ方法、該保護袋の開口部の近くに設けたファスナー等によって開口部を塞ぐ方法、該保護袋の開口部を折り曲げるだけの方法、該保護袋の開口部に手を加えない方法等によって取り扱われる。該保護袋の開口部についての閉鎖の各種の遣り方は、該保護袋の内部を何の程度の負圧にすべきかによって決定されることであり、前記の保護袋の開口部についての閉鎖の各種の遣り方は、何れも保護袋に関する閉鎖の手段に該当することである。
【００２３】  開口部を閉鎖した後の保護袋から空気を抜き去る行為には、逆止弁を経由して掃除機等の吸引機による方法、逆止弁を経由しないで直に掃除機等の吸引機によって吸引した後から吸引口を塞ぐ方法、保護袋を外部から吸引機等によって保護袋の排気口から吸い出す方法、保護袋を外部から押すことによって保護袋の開口部から押し出す方法、保護袋の吸引口、排気口、開口部等を閉鎖する方法や閉鎖しない方法等の各種の遣り方がある。此れ等の遣り方は、保護袋の内部を何の程度の負圧にすべきかによって決定されることであり、前記の保護袋の内部からの空気の抜き去りの各種行為は、何れも保護袋内部からの空気の引き抜き方法に該当することである。
【００２４】  前記の如く保護袋に関する閉鎖の手段及び保護袋内部からの空気の引き抜き方法は、各種多様に存在するものであり、芯部材を挿入した後の保護袋の外面を何の程度に保持すれば良いかと言うこと及び芯部材を挿入した後の保護袋の内部の空気圧を何の程度に保持すれば良いかと言うこと等によって決定されることである。
【実施例１】
【００２５】  本発明の浴槽用ふたの主要をなす芯部材は、図１の如く芯材を結合紐で連結させたものであり、図１の斜視図は、本発明の根幹である遣り方であり、芯材間を結合紐で拘束した芯部材のみを示している。即ち、該芯部材は、多数の角棒状芯材１を並べ、該角棒状芯材１を内側結合紐２と外側結合紐３で結束したものであり、角棒状芯材１の両端部において内側結合紐２と外側結合紐３で多数の角棒状芯材１を規則正しく並べた集合体である。【００２６】  図１の芯部材は、浴槽用ふたを浴槽の上面に使用中における上下方向の面外力を角棒状芯材１に対する曲げ作用力として角棒状芯材１が支持し、内側結合紐２と外側結合紐３は、多数の角棒状芯材１の分散を防止しているだけである。【００２７】  本発明の浴槽用ふたを運搬や保管の場合に、図１の芯部材は、浴槽用ふたを丸太ん棒状の円柱形に巻いた時に、円柱形の長手方向と角棒状芯材１の長手方向が一致する訳であり、本発明の浴槽用ふたは、使用、運搬、保管の何れにおいても十分に有効である。【００２８】  本発明の浴槽用ふたで芯材間を結合紐で連結して構成した芯部材の場合で本発明の構成要件に必要な部品の関わりは、図２の模式図の如くであり、図３は図２の芯部材の平面図であって、薄い膜材の保護袋を除いた状態を示しており、図４は図３の正面図であり、芯部材は大略平板状を呈している。【００２９】  図２〜図４に示す芯部材の芯材について構造は、円管状芯材４と平板状芯材５によって構成されており、円管状芯材４と平板状芯材５は、単列又は複列の結合紐６と結合紐７によって束ねられており、芯部材は、円管状芯材４と平板状芯材５の集合体であり、図３の芯部材は、円管状芯材４と平板状芯材５を並べて複列の結合紐６、７で束ねて構成したものであり、図２では片側１列の結合紐６、７のみ図示している。【００３０】  図１や図２の芯部材を挿入する保護袋８の材料は、柔軟な薄い膜材であって、不織布や合成樹脂の膜状の薄板材であり、保護袋８の形状は、平板状の芯部材を出し入れするための開口部を有しており、該開口部を閉鎖板９によって塞ぐことが出来、保護袋８の開口部にファスナー等を設けることによって閉鎖板９等を不要として開口部の閉鎖を出来る場合もあり得るし、保護袋８の開口部を長くして開口部を折り曲げるだけの場合や該保護袋８の開口部に手を加えないで開口のまま放置する場合等の様々の場合があり、此れ等の遣り方は、保護袋８の内部を何の程度の負圧にすべきかによって決定されることである。【００３１】  保護袋８の開口部を閉鎖板９等によって塞いだ後で、保護袋８の内部から逆止弁１０を経由して空気を抜き去ることになり、保護袋８の内部は、負圧に出来る。逆止弁１０の作用は、保護袋８の内部圧力を大きく下げたい場合に使用する方法であるが、逆止弁１０を経由しないで何ん等かの手段で保護袋８の内部圧力を下げてから吸引口等を塞ぐ方法、保護袋８を外部から押すだけで保護袋８の開口部から空気を押し出す方法等各種存在し、逆止弁１０等の方法は、保護袋８の中の空気圧を何の程度にして満足出来るかによって決められることである。【００３２】  芯部材の芯材について述べると、図２〜図４の芯部材は、円管状芯材４と平板状芯材５の交互配置で��成されており、円管状芯材４と平板状芯材５の配置は、単列又は複列の結合紐６と結合紐７によって束ねられている。円管状芯材４は、面外からの外力の抗するものであり、平板状芯材５は、円管状芯材４を減少させて軽量化しながら、保護袋８の変形を防止している。図１の芯部材は、角棒状芯材１のみの芯材であるが、図１の角棒状芯材１と図２〜図４の円管状芯材４と平板状芯材５の組み合せと全く同一効果を有するものであり、本発明においては、どちらも包含している。【００３３】  図１や図２の扱い方について詳しく述べると、紐によって大略平板状に保持された芯部材を保持袋８の内部に挿入し、保護袋８の開口部を閉鎖する手段を施し、保護袋８の内部の空気の引き抜き方法によって空気の排出を行なうことによって、使用時には保護袋８を大略平板状に出来、保護袋８を浴槽用ふたとして使用可能であり、移動時や保管時には保護袋８を芯材の長手方向を丸太ん棒状の円柱形の長手方向となる様に巻くことが可能であり、本発明の構成は、浴槽上面に用いるふたとしての機能を十分に有している。【００３４】  芯部材を構成するために芯材を連結保持するための内側結合紐２、外側結合紐３、結合紐６と７等は、約糸や魚網等で多用されている天蚕糸や合成繊維を用いることになり、芯材を結合紐で束ねる遣り方で結合紐の括り方は、基本的に２種類存在し、該括り方は図５と図６であり、図５は図２と同一であって芯材間を連結する結合紐に縒りを付与する縒り方であって、図６は結合紐を縒らない括り方であり、該括り方は上下方向に投影すれば結合紐が平行に配置されている遣り方である。【００３５】  図５では円管状芯材４と平板状芯材５を交互に１本宛結合紐１１と結合紐１２の縒りによって、円管状芯材４と平板状芯材５の組み合わせを大略平板状に保持しており、結合紐１１と結合紐１２は、単列だけでも最低限として可能であり、図３では複列で示されている。図６では円管状芯材４と平板状芯材５を交互に配置しているが、内側結合紐１３と外側結合紐１４を上下方向に透視すると、内側結合紐１３と外側結合紐１４は交差していない遣り方であり、内側結合紐１３と外側結合紐１４を交互に上下させることで、円管状芯材４と平板状芯材５を大略平板状にして芯部材を構成しており、図６の遣り方では、内側結合紐１３と外側結合紐１４の配置を複列にすべきであろう。【００３６】  図５と図６の結合紐の括り方は、明白な差異を有しているが、芯部材の形状の保持に重点を置く遣り方は、図５の遣り方であり、芯部材の形状の保持よりも簡単な結合紐の括り方に重点を置く遣り方は、図６の遣り方である。
図５と図６採否の決め手は、芯部材を何の程度の平板状にするのかということ及び浴槽用ふたの製造価格などによるのは当然である。【００３７】  図１〜図６の浴槽用ふたは、芯材間の位置関係を一定に保持すること、芯材を清潔に保持すること、芯材を清掃や乾燥出来ること、保護袋の内外両面を清潔に出来ること、保護袋の内部を清掃や乾燥出来ること、浴槽用ふたを丸太ん棒状の円柱形に巻けること等の特徴を有しており、浴槽用ふたを長期間に亘って保守しながら使用出来、浴槽用ふたを度々廃棄したり、度々購入する様なことはなくなる。
【実施例２】
【００３８】  本発明の浴槽用ふたで可撓性を有する溝形材で芯材を保持して芯部材を大略平板状に形成する場合の平面図を図７に示し、浴槽用ふたは、図７の大略平板状である芯部材を図２の保護袋８の内部に挿入して形成されるものであり、図８は図７の正面図であり、図９は図７の側面図に相当するものであって図８のＩＸ−ＩＸ視図である。【００３９】  角棒状芯材１５の両端部を可撓性を有する溝形材１６で保持し、角棒状芯材１５と溝形材１６の間の嵌め込み力によって角棒状芯材１５の間隔が保持されている。角棒状芯材１５と溝形材１６の間の嵌め込み力を期待しない場合は、角棒状芯材１５の間隔部に挟みものを介在させても角棒状芯材１５と溝形材１６の間の嵌め込み力を期待する遣り方と同一の効果になる。【００４０】  図７〜図９で示した角棒状芯材１５と溝形材１６で構成された平板状の芯部材を図て示す如き保護袋８の内部に挿入し、其の後に保護袋８の開口部を閉鎖する手段を施し、保護袋８の内部の空気の引き抜き方法によって空気の排出を行なうことによって、使用時には保護袋８を大略平板状に出来ると共に保護袋８を浴槽用ふたとして使用出来るし、移動時や保管時には保護袋８を芯材の長手方向を丸太ん棒状の円柱形の長手方向となる様に巻くことが可能であり、図７〜図９に示す芯部材は、本発明の浴槽用ふたの芯部材として使用可能である。【００４１】  図７〜図９の角棒状芯材１５と溝形材１６を使用する浴槽用ふたは、図３〜図６の結合紐を使用する浴槽用ふたと殆ど同様の特徴を有しているので、どちらの浴槽用ふたも長期間に亘る保守が可能であり、本発明の浴槽用ふたは、長期間の使用に耐え得ることになる。
【産業上の利用可能性】
【００４２】  浴槽用ふたは、各住宅内で使用されるものであり、浴槽用ふたの製造者は浴槽用ふたに要求される条件の安価、丈夫、清潔、水分に強い、熱湯に強い、保温、運搬、保管など満足出来るものを提供したことになり、浴槽用ふたの使用者は、長期間に亘って保守を行うことが出来ることにより、浴槽用ふたを度々廃棄したり、度々購入する様なことはなくなる。
【図１】
2014151182.tif 000004
【図２】
2014151182.tif 000005
【図３】
2014151182.tif 000006
【図４】
2014151182.tif 000007
【図５】
2014151182.tif 000008
【図６】
2014151182.tif 000009
【図７】
2014151182.tif 000010
【図８】
2014151182.tif 000011
【図９】
2014151182.tif 000012